(57)【要約】【課題】接着テープカッター本体への挿入方向が、接着テープロールの回転軸に対し垂直であって、該接着テープカッター本体の上面から挿入する着脱自在形式の回転自在型リールを、該接着テープカッター本体に装着し、使用するとき、接着テープの引き出しに伴い、該リールが回転するため、該リールを回転動作の障害となるような突出部をもつ形状とすると、回転動作に支障を来し、不都合であったり、また、該リールに施したデザインによってはその美観を損ねたりする点である。【解決手段】リールの両側面に配設した畝状凸部を、接着テープカッター本体側に設けられた嵌合溝に挿入して該リールを装着することで、該リールを非回転とし、これにより課題の解決を図った。【選択図】図１
2008024407.tif 000002
【特許請求の範囲】
【請求項１】
互いに平行である２つの側面を持ち、該２つの側面に互いに対称に配設された、該側面に対し平行方向に細長く、且つ一定の幅と一定の高さをもって直線的に成形された畝状凸部を、接着テープカッター本体に設けられた嵌合溝に挿入して、該接着テープカッター本体に装着することを特徴とする接着テープカッター用接着テープロール支持体。
【請求項２】
接着テープカッター本体への挿入方向の先端が丸みを帯び、径が上記畝状凸部の幅より大きく、厚さが該畝状凸部の高さとほぼ同等に成形された、弾性素材からなる小片が、該畝状凸部の該接着テープカッター本体への挿入方向側端部にほぼ接するように、取り付けられていることを特徴とする請求項１に記載の接着テープカッター用接着テープロール支持体。
【発明の詳細な説明】
【技術分野】
【０００１】
本発明は、接着テープカッター本体に装着がスムーズで、且つ装着後は回転することがなく、また接着テープカッターが横倒しになったり、逆さになったりしても容易に脱離することのない着脱自在の接着テープカッター用接着テープロール支持体に関するものである。
【背景技術】
【０００２】
接着テープカッターを構成する部分の中で、接着テープロールを回転自在に支持する部分、すなわち接着テープロール支持体（以下、リールという。）は、接着テープカッター本体と一体になっている本体一体型のものと、接着テープカッター本体への装着及び接着テープカッター本体からの取り外しが自在である着脱自在型のものとに分類することが出来る。
【０００３】
上記分類のうち、着脱自在型のリールは、該リールと接着テープロールとを接着テープカッター本体へ挿入するときの挿入順序、該リールを接着テープカッター本体へ挿入するときの挿入方向及び該接着テープカッター本体上の挿入面、該リールを接着テープカッター本体へ装着した後の該リールの状態などの観点におけるタイプ（以下、要素タイプという。）の相違により更に細かく分類することが出来る。以下に、着脱自在型のリールを接着テープカッター本体へ挿入するとき、または、装着したときの各観点ごとの要素タイプを挙げる。
【０００４】
まず最初に、リールと接着テープロールの、接着テープカッター本体への挿入順序の要素タイプとしては、リールに接着テープロールを嵌合後、該リールを接着テープカッター本体に挿入するタイプ（以下、先嵌合型という。）と、接着テープロールを接着テープカッター本体に挿入後、リールを該接着テープロールに嵌合するタイプ（以下、後嵌合型という。）がある。
【０００５】
次に、リールの接着テープカッター本体への挿入方向の要素タイプとしては、リールを、該リールに嵌合した接着テープロールの回転軸に対し垂直方向に進めて接着テープカッター本体に挿入し、装着するタイプ（以下、垂直挿入型という。）と、先嵌合型にあっては、リールを、該リールに嵌合した接着テープロールの回転軸に対し平行方向に進めて、接着テープカッター本体に挿入し、また、後嵌合型にあっては、リールを、接着テープカッター本体へ挿入した接着テープロールの回転軸に対し平行方向に進めて、該接着テープカッター本体に挿入し、装着するタイプ（以下、水平挿入型という。）がある。
【０００６】
更に、リールを接着テープカッター本体へ挿入するときの、該接着テープカッター本体上の挿入面の要素タイプとしては、リールを接着テープカッター本体の上面から挿入するタイプ（以下、上面挿入型という。）と、接着テープカッター本体の側面から挿入するタイプ、及び接着テープカッター本体の底面から挿入するタイプなどがある。
【０００７】
そして最後に、リールを接着テープカッター本体へ装着した後の該リールの状態の要素タイプとしては、リールを接着テープカッター本体に装着した後固定され、非回転となるタイプ（以下、非回転型という。）と、回転軸を持ち、接着テープカッター本体に装着した後、支持している接着テープロールの引き出しに伴い回転するタイプ（以下、回転自在型という。）がある。
【０００８】
着脱自在型のリールは、例えば、リールに接着テープロールを嵌合後、接着テープカッター本体の上面から、該リールを該接着テープロールの回転軸に対し垂直方向に進めて該接着テープカッター本体に挿入し、装着した後固定される非回転型のものといった具合に、そのほとんどが上記の各要素タイプの組み合わせで分類することが出来、その種類は多岐にわたるが、一般によく見掛ける、リールが垂直挿入型であって、且つ上面挿入型である接着テープカッターにあっては、該リールは回転自在型であるものが多い。
【０００９】
そこで、リールが垂直挿入型、且つ上面挿入型、且つ回転自在型（以下、垂直・上面挿入回転自在型という。）である接着テープカッターについて更に分類すると、該リールは、該接着テープカッター本体に装着後、該接着テープカッター本体の内部へ全体的に隠れるものと、該接着テープカッター本体から外部へ部分的に露出するものとに分類することができる。
【００１０】
そして、接着テープカッター本体から外部へ部分的に露出するリールにおいては、その露出部分が、目視可能であるので、該接着テープカッターに意匠を施す場合、該接着テープカッター本体と共に、該リールにもその形状や模様、色彩などにさまざまな工夫が凝らされることが多い。
【００１１】
しかし、上記垂直・上面挿入回転自在型リールは、接着テープの引き出しに伴い、該リールが回転するので、回転時に回転動作の障害となるような突出部をもつ形状とすることはできず、また、該リールに、上下の区別のあるデザインを施した場合、ある時はそのデザインが横倒しに見え、ある時は上下逆さに見えて、美観上不都合である。
【００１２】
そのため、上記垂直・上面挿入回転自在型リールは、回転動作上支障のない形状であって、且つ回転しても美観上ほとんど不都合のない、回転軸を中心点として、ある一定角度ごとに同じ形状や模様などが現れるタイプのものが一般的に多く存在し、上下の区別のあるデザインが施されたものは少ないのが現状であった。
【非特許文献１】意匠公報  意匠登録０９５３４６０
【非特許文献２】意匠公報  意匠登録０６９６９７６
【非特許文献３】意匠公報  意匠登録０３８４８０１
【非特許文献４】意匠公報  意匠登録０３６５７４８
【非特許文献５】意匠公報  意匠登録０２１７０１２
【発明の開示】
【発明が解決しようとする課題】
【００１３】
解決しようとする問題点は、垂直・上面挿入回転自在型リールを、接着テープカッター本体に装着し、使用するとき、接着テープの引き出しに伴い、該リールが回転するため、該リールを回転動作の障害となるような突出部をもつ形状とすると、回転動作に支障を来し不都合であったり、また、該リールに施したデザインによってはその美観を損ねたりする点である。
【課題を解決するための手段】
【００１４】
リールの互いに平行な２つの側面に対称に配設された、該側面に対し平行方向に細長く、且つ一定の幅と一定の高さをもって直線的に成形された畝状凸部を、該畝状凸部が収まるように接着テープカッター本体に設けられた嵌合溝にスライドさせて挿入し、該接着テープカッター本体に装着することで該リールを非回転とすることを主要な特徴とする。
【発明の効果】
【００１５】
本発明は、接着テープカッター本体の上面から挿入する垂直挿入型のリールの分野において、請求項１に記載のリールに配設された畝状凸部を、接着テープカッター本体の嵌合溝に挿入して装着することにより、非回転型のリールを提供するため、接着テープの引き出しに伴い該リールが回転することがないので、該リールを、回転型では回転動作の障害となってもたせることが出来ないような突出部をもった形状とすることも可能となり、また、該リール側面に上下の区別のあるデザインを施したり、該リール自体を上下の区別のある形状にした場合にも美観が損なわれず、リールのデザイン面の可能性が広がるという利点がある。
【００１６】
更に、請求項２に記載の弾性素材からなる小片により、請求項１に記載のリールに配設された畝状凸部を接着テープカッター本体の嵌合溝に挿入しようとするとき、挿入口の位置や挿入角度の狙い定めが多少ずれていてもスムーズに挿入出来、且つ、装着後に該接着テープカッターが横倒しになったり逆さになったりしたときに、該接着テープカッター本体から接着テープロールが、該リールごと容易に脱離するという問題点の発生の可能性を押さえる利点がある。
【発明を実施するための最良の形態】
【００１７】
接着テープカッター本体の上面から挿入する垂直挿入型の非回転型リールを提供するという目的を、取り扱い上の利便性を欠いたり美観を損ねたりすることなく、最小の部品点数で実現した。
【実施例１】
【００１８】
図１は、本発明の第１の実施例である。図２はリール８を、側面ａに垂直な方向から見た図であり、図３はリール８を、側面ａに平行且つ畝状凸部６に垂直な方向から見た図である。
【００１９】
実施例１では、リール８の側面ａに、畝状凸部６及び、該畝状凸部６の接着テープカッター本体への挿入方向側端部ｃにほぼ接する位置に弾性素材からなる小片７が配設されており、図３に示すように、側面ａと平行で且つ反対側に位置する側面ｂに畝状凸部６’及び弾性素材からなる小片７’が、それぞれ該畝状凸部６及び該弾性素材からなる小片７と対称に配設されている。また、側面ａ及び側面ｂには山と太陽の絵があしらわれている。
【００２０】
以下に、図１乃至図３を参考図として畝状凸部及び弾性素材からなる小片について説明する。まず、畝状凸部についてであるが、本実施例では、請求項１に記載の畝状凸部である、畝状凸部６及び畝状凸部６’は、リール８の互いに平行である側面ａ及び側面ｂに、形状及び位置共に互いに対称に配設されている。次に、弾性素材からなる小片についてであるが、本実施例では、請求項２に記載の弾性素材からなる小片である、弾性素材からなる小片７を、厚さｖが畝状凸部６の高さｙとほぼ等しく、外径ｕが畝状凸部６の幅ｘよりやや大きめの弾力性のあるゴム素材からなるドーナツ状のリングとし、該畝状凸部６の接着テープカッター本体への挿入方向側端部ｃにほぼ接する位置に配設している。また、該弾性素材からなる小片７と素材、形状共に同様である弾性素材からなる小片７’を、側面ｂに該弾性素材からなる小片７と対称に配設している。該弾性素材からなる小片７の取り付け方法については、本実施例では図１に示すように、取り付けねじ９で、リール８の本体に取り付けられている。この取り付け方法は、弾性素材からなる小片７’に関しても同様である。
【００２１】
なお、上記畝状凸部及び弾性素材からなる小片に関する素材の種類、形状、サイズ、配設位置および取り付け方法は、以下の実施例２、実施例３、実施例４、実施例５において同様とする。
【００２２】
図４に、本発明品の使用形態が示されている。接着テープロール５の中央部の空洞にリール８を嵌め、接着テープカッター本体１の、装着スペース４を形成する部分の両サイドに設けられた嵌合溝２及び嵌合溝３に、弾性素材からなる小片７及び弾性素材からなる小片７’の取り付けられている側から、弾性素材からなる小片７及び弾性素材からなる小片７’並びに畝状凸部６及び畝状凸部６’を、挿入方向を示す矢印Ａで示される方向にスライドさせて挿入し、該リール８と共に該接着テープロール５を該接着テープカッター本体１の所定の位置に収めて使用する。
【００２３】
なお、上記使用形態及び図４、図５で表される接着テープカッター本体の構造は、以下の実施例２、実施例３、実施例４、実施例５において同様とする。
【００２４】
このような実施形態であるので、以下のような効果がある。
【００２５】
第一に、リール８は、段落番号００２２の要領で所定の位置に収まった後は、該リール８の側面ａ及び側面ｂの両サイドに配設された畝状凸部６及び畝状凸部６’が挿入方向に細長く成形されているので、接着テープの引き出しに伴って回転することがない。したがって、該リール８の側面ａ及び側面ｂにあしらわれた山と太陽の絵も横倒しになったりすることがなく、常に挿入直後の位置が保持され、美観が損なわれることがない。
【００２６】
第二に、弾性素材からなる小片７及び弾性素材からなる小片７’は挿入方向の先端が丸みを帯びているため、嵌合溝２及び嵌合溝３に挿入するとき、挿入口の位置や挿入角度の狙い定めが多少ずれていても、スムーズにスライドさせて挿入することが出来る。
【００２７】
第三に、嵌合溝２及び嵌合溝３の幅は、リール８の側面ａ及び側面ｂに配設された畝状凸部６及び畝状凸部６’がちょうど収まるサイズの幅なっているが、弾性素材からなる小片７及び弾性素材からなる小片７’の径は、その幅よりも大きく成形されているので、該リール８を接着テープカッター本体１に挿入するときは多少抵抗があるが、力を加えて、所定の位置まで押し込んだ後は、圧迫された該弾性素材の反発作用による抵抗があるため、仮に該リール８が該接着テープカッター本体１とともに逆さになっても容易に脱離することがない。
【実施例２】
【００２８】
図６は、本発明の第２の実施例である。
【００２９】
この実施例は、リール１３の本体を筒状としたものであり、図９は該リール１３を接着テープロール１０の中央部の空洞に嵌合した状態を示す。本実施例では、図１及び図３に示される、実施例１における畝状凸部６及び畝状凸部６’に相当する部分が、該リール１３の筒状本体の内部で板状につながっており、図６で示すプレート１１を形成している。
【００３０】
図７は、図６のリール１３を側面ａ’に垂直な方向から見た図であり、図８は、図６のリール１３をプレート１１に垂直な方向から見た図である。図６のプレート１１は、図８でグレーに塗りつぶされた部分で示されるように、筒状になっている該リール１３の本体から突出サイズｙ’分だけ両サイドに突出するよう成形されている。このグレーに塗りつぶされた部分が、段落番号００２０に記載の実施例１における畝状凸部６及び畝状凸部６’に相当する部分である。本実施例は、該リール１３の本体が空洞であるという特徴を生かし、その存在をあまり目立たせないという効果がある。また、弾性素材からなる小片については段落番号００２１に記載のように、実施例１と同様であるので、段落番号００２６及び段落番号００２７に記載の効果と同様の効果がある。
【実施例３】
【００３１】
図１０は、本発明の第３の実施例である。
【００３２】
この実施例は、リール本体を、台座１７に載った水鳥をイメージした造形１８としたものであり、図１１は該台座１７と該水鳥をイメージした造形１８からなるリールを接着テープロール１４の中央部の空洞に嵌合した状態を示したものである。該台座１７の側面ｄ及び該側面ｄと平行で且つ反対側に位置する側面には、段落番号００２１に記載のように、実施例１と同様に、まず畝状凸部が配設されていることから、該リールが回転することがないので、該水鳥をイメージした造形１８が傾いたりして美観を損ねることがない。次に弾性素材からなる小片が配設されていることから、段落番号００２６及び段落番号００２７に記載の効果と同様の効果がある。
【実施例４】
【００３３】
図１２は、本発明の第４の実施例である。
【００３４】
この実施例は、段落番号００２１に記載のように、リール２１の側面ｅ及び該側面ｅと平行で且つ反対側に位置する側面に、実施例１と同様に畝状凸部及び弾性素材からなる小片が、それぞれ互いに対称に配設されているが、その畝状凸部の接着テープカッター本体への挿入方向の長さｇと弾性素材からなる小片の同方向の外径ｈを合わせた長さが、該リール２１の同方向の径ｆとほぼ同じ長さとしたものである。
【００３５】
この実施例は、接着テープロールの中央部の空洞の内径が小さい場合に考えられるもので、接着テープカッター本体に装着すると、多くの場合、リール２１は該接着テープカッター本体に隠れる。しかし、該接着テープカッター本体を透明素材からなるものとすれば、該リール２１の側面が目視可能となり、段落番号００３４に記載の畝状凸部及び弾性素材からなる小片により、該リールの側面に上下の区別のあるデザインを施しても、傾いたりすることがなく、また、段落番号００２６及び段落番号００２７に記載の効果と同様の効果がある。
【実施例５】
【００３６】
図１３は、本発明の第５の実施例である。
【００３７】
実施例１乃至実施例４では、リールの側面の径は、該リールを嵌めて使用する接着テープロールの中央部の空洞の内径サイズより小さいものであるが、本実施例は、側面板２５及び側面板２６を嵌合してなるリール２２の側面の径を、該リール２２を嵌めて使用する接着テープロール２８の中央部の空洞の内径サイズより大きいサイズとした例である。
【００３８】
リール２２の側面板２５及び側面板２６のそれぞれの外側面には、段落番号００２１に記載のように、まず、実施例１と同様に畝状凸部が配設されていることから、該リール２２を接着テープカッター本体に装着後は、該リール２２は回転することがないので、段落番号００１５に記載のように該側面板２５及び該側面板２６を、回転型では回転動作の障害となってもたせることが出来ないような外側への突出部をもった形状とすることも可能であり、また、該側面板２５及び該側面板２６のそれぞれの外側面に上下の区別のあるデザインを施したり、該側面板２５及び該側面板２６自体を上下の区別のある形状にした場合にも美観が損なわれることがない。次に、実施例１と同様に弾性素材からなる小片が配設されていることから、段落番号００２６及び段落番号００２７に記載の効果と同様の効果がある。また、段落番号００３７に記載のように、本実施例のリールの側面の径はサイズが大きく、それだけ広い範囲にデザインを施すことが可能となる。
【図面の簡単な説明】
【００３９】
【図１】本発明の実施例を示した説明図である。（実施例１）
【図２】実施例１の側面ａに垂直な方向から見た図である。
【図３】実施例１の側面ａに平行且つ畝状凸部６に垂直な方向から見た図である。
【図４】本発明品の使用形態を示した説明図である。（実施例１）
【図５】図４に示される接着テープカッター本体１の、点Ｐ、Ｑ、Ｒで特定される縦断面図である。
【図６】本発明の実施例を示した説明図である。（実施例２）
【図７】実施例２の側面ａ’に垂直な方向から見た図である。
【図８】実施例２のプレート１１に垂直な方向から見た図である。
【図９】本発明品の使用形態を示した説明図である。（実施例２）
【図１０】本発明の実施例を示した説明図である。（実施例３）
【図１１】本発明品の使用形態を示した説明図である。（実施例３）
【図１２】本発明の実施例を示した説明図である。（実施例４）
【図１３】本発明の実施例を示した説明図である。（実施例５）
【符号の説明】
【００４０】
１    接着テープカッター本体
２    リールを保持するために設けられた嵌合溝
３    リールを保持するために設けられた嵌合溝
４    装着スペース
５    接着テープロール
６    畝状凸部
６’  畝状凸部
７    弾性素材からなる小片
７’  弾性素材からなる小片
８    リール
９    取り付けねじ
１０  接着テープロール
１１  プレート
１２  弾性素材からなる小片
１３  リール
１４  接着テープロール
１５  畝状凸部
１６  弾性素材からなる小片
１７  リールの一部を形成する台座
１８  リールの一部を形成する水鳥をイメージした造形
１９  畝状凸部
２０  弾性素材からなる小片
２１  リール
２２  リール
２３  畝状凸部
２４  弾性素材からなる小片
２５  リールを形成する側面板
２６  リールを形成する筒状嵌合部と一体となった側面板
２７  リールを形成する筒状嵌合部
２８  接着テープロール
Ａ    挿入方向を示す矢印
ａ    リール（実施例１）の側面
ａ’  リール（実施例２）の側面
ｂ    リール（実施例１）の側面ａと平行且つ反対側に位置する側面
ｂ’  リール（実施例２）の側面ａ’と平行且つ反対側に位置する側面
ｃ    畝状凸部の接着テープカッター本体への挿入方向側端部
ｃ’  畝状凸部の接着テープカッター本体への挿入方向側端部
ｄ    リール（実施例３）の側面
ｅ    リール（実施例４）の側面
ｆ    リール（実施例４）の径
ｇ    畝状凸部の長さ
ｈ    弾性素材からなる小片の外径
Ｐ    稜線上の中点であって、接着テープカッター本体の縦断面を特定する３点のうちの１点
Ｑ    稜線上の中点であって、接着テープカッター本体の縦断面を特定する３点のうちの１点
Ｒ    稜線上の中点であって、接着テープカッター本体の縦断面を特定する３点のうちの１点
ｕ    弾性素材からなる小片の外径
ｕ’  弾性素材からなる小片の外径
ｖ    弾性素材からなる小片の厚さ
ｖ’  弾性素材からなる小片の厚さ
ｘ    畝状凸部の幅
ｘ’  突出部の幅
ｙ    畝状凸部の高さ
ｙ’  突出サイズ
【図１】
2008024407.tif 000003
【図２】
2008024407.tif 000004
【図３】
2008024407.tif 000005
【図４】
2008024407.tif 000006
【図５】
2008024407.tif 000007
【図６】
2008024407.tif 000008
【図７】
2008024407.tif 000009
【図８】
2008024407.tif 000010
【図９】
2008024407.tif 000011
【図１０】
2008024407.tif 000012
【図１１】
2008024407.tif 000013
【図１２】
2008024407.tif 000014
【図１３】
2008024407.tif 000015